(57)【要約】【課題】電極部材を覆うカバー部材を設け、このカバー部材を回路基板に取り付けるように構成すると共に、押しボタンを蓋部材ではなくカバー部材の上面に設ければ、電極部材と押しボタンとの相対位置がずれにくくなる。ところが、カバー部材は比較的小さくなるので、押しボタンを押す際に指が滑って押しボタンを越えると、指がカバー部材の上面から外れて回路基板上の電子部品に触れてしまうおそれが生じる。【解決手段】１対の電極部材を覆うカバー部材を上記回路基板に取り付けると共に、このカバー部材の上面に上記押しボタンを保持させ、かつ、押しボタンを指で押した際に指が押しボタンを越えてカバー部材の上面から外れることを防止する壁部をカバー部材に設けた。【選択図】  図３
2015005400.tif 000002
【特許請求の範囲】
【請求項１】
回路基板上に漏電検知部を備え、漏電検知部に必要なスイッチを構成する１対の接点部材が回路基板に取り付けられ、一方の接点部材を押すことによりこの一方の接点部材を他方の電極部材に接触させる押しボタンを備えた漏電検知機能を備えた電子装置において、上記１対の電極部材を覆うカバー部材を上記回路基板に取り付けると共に、このカバー部材の上面に上記押しボタンを保持させ、かつ、押しボタンを指で押した際に指が押しボタンを越えてカバー部材の上面から外れることを防止する壁部をカバー部材に設けたことを特徴とする漏電検知機能を備えた電子装置。
【請求項２】
上記壁部を、上記回路基板を垂直状態に保持して使用する場合に、上記押しボタンを上方から覆うように形成したことを特徴とする請求項１に記載の漏電検知機能を備えた電子装置。
【発明の詳細な説明】
【技術分野】
【０００１】
本発明は、回路基板上に漏電検知機能を備えた電子装置に関する。
【背景技術】
【０００２】
例えば機器を制御するための電子装置として、外部の商用電源から供給される１００ボルトの交流電力を必要な電圧に降圧する電源部と、この電源部から電力供給を受けて機器内の負荷の作動を制御する制御部とが同じ回路基板上に設けられ、さらにその回路基板上に、機器内での漏電の有無を検知する漏電検知機能を備えたものが知られている（例えば、特許文献１参照）。
【０００３】
ただし、漏電検知機能を持たせるためには併せてテストスイッチやリセットスイッチを設ける必要がある。この点に関し、これらスイッチを構成する対となる電極部材を隙間を存して回路基板に立設した状態で半田付けし、一方の電極部材を押して弾性変形させ、他方の電極部材に接触させることによりスイッチをオン状態にするように構成したものが知られている（例えば、特許文献２参照）。
【先行技術文献】
【特許文献】
【０００４】
【特許文献１】特開平９−１８２２７８号公報（図１）
【特許文献２】特開２００４−１９１００９号公報（段落００４３、図１１）
【発明の概要】
【発明が解決しようとする課題】
【０００５】
上記特許文献２に記載の電子装置では、電極部材はケーシング内に収納されており、このケーシングと係合してケーシングの開口全体を覆おう蓋部材に、一方の電極部材を押すための押しボタンが保持されている。そのため、蓋部材と回路基板との位置決めがずれると、一方の電極部材を押しボタンで正確に押すことができないという不具合が生じる。
【０００６】
このような場合、両電極部材を覆うカバー部材を設け、このカバー部材を回路基板に取り付けるように構成すると共に、押しボタンを蓋部材ではなくカバー部材の上面に設ければ、電極部材と押しボタンとの相対位置がずれにくくなる。ところが、カバー部材は比較的小さくなるので、押しボタンを押す際に指が滑って押しボタンを越えると、指がカバー部材の上面から外れて回路基板上の電子部品に触れてしまうおそれが生じる。
【０００７】
また、電子装置を機器に組み込む際に回路基板が垂直になるように取り付けた場合、上方から水などが流れてくるとカバー部材の上面に水が流れ、押しボタンを保持している部分からカバー部材内に水が浸入するおそれが生じる。
【０００８】
そこで本発明は、上記の問題点に鑑み、カバー部材を回路基板に取り付けた場合に、指が押しボタン上を滑ってもカバー部材の上面から指が外れにくく、また、回路基板を垂直状態に保持してもカバー部材の上面から水などがカバー部材の内部に浸入しにくい漏電検知機能を備えた電子装置を提供することを課題とする。
【課題を解決するための手段】
【０００９】
上記課題を解決するために本発明による漏電検知機能を備えた電子装置は、回路基板上に漏電検知部を備え、漏電検知部に必要なスイッチを構成する１対の接点部材が回路基板に取り付けられ、一方の接点部材を押すことによりこの一方の接点部材を他方の電極部材に接触させる押しボタンを備えた漏電検知機能を備えた電子装置において、上記１対の電極部材を覆うカバー部材を上記回路基板に取り付けると共に、このカバー部材の上面に上記押しボタンを保持させ、かつ、押しボタンを指で押した際に指が押しボタンを越えてカバー部材の上面から外れることを防止する壁部をカバー部材に設けたことを特徴とする。
【００１０】
カバー部材に上記壁部を設けたので、例えば急いで押しボタンを押しても、指が押しボタン上を滑ってカバー部材の上面から外れ、指が他の電子部品に触れることが防止される。
【００１１】
なお、上記壁部を、上記回路基板を垂直状態に保持して使用する場合に、上記押しボタンを上方から覆うように形成することが望ましい。このように構成することにより、カバー部材に対して上方から水などが滴下してきても、押しボタンを保持している部分から水などがカバー部材内に浸入することが防止される。
【発明の効果】
【００１２】
以上の説明から明らかなように、請求項１に係る発明では、カバー部材を回路基板に取り付けた場合に、指が押しボタンを滑ってもカバー部材の上面から指が外れにくい。また、請求項２に係る発明では、さらに回路基板を垂直状態に保持してもカバー部材の上面から水などがカバー部材の内部に浸入しにくい。
【図面の簡単な説明】
【００１３】
【図１】本発明の一実施の形態の構成を示す図
【図２】スイッチ部材の分解斜視図
【図３】III-III断面図
【図４】カバー部材の平面図
【発明を実施するための形態】
【００１４】
図１を参照して、１は本発明による漏電検知機能を備えた電子装置の一例である。この電子装置１は回路基板１１をケーシング１２内に収納してポッティングしたものである。なお、この回路基板１１上には外部から供給される商用の交流電力を所定の電圧に降圧し、あるいは整流して図示しない各負荷に供給する電源部と、電源部から直流の作動電力の供給を受けて各負荷の作動を制御する制御部と、漏電検知部２とが設けられている。以降の説明の理解を容易にするため、本図では漏電検知部２のみを示し、他の電源部及び制御部は省略した。
【００１５】
この電子装置１は製造時には水平な状態で保持されているが、図示しない機器内に組み込まれる際には図示のように、垂直に立てた状態で取り付けられる。
【００１６】
漏電検知部２内にはテスト用及びリセット用のスイッチを備えたスイッチ部材３が設けられている。
【００１７】
図２を参照して、このスイッチ部材３は、全体を覆うカバー部材４と、このカバー部材４で覆われる位置に取り付けられる１個の可動電極部材５と、２個の固定電極部材６とで構成されている。カバー部材４にはテスト用のスイッチの構成部品である押しボタン４１と、リセット用のスイッチの構成部品である押しボタン４１とが上下方向に可動状態で保持されている。そして、カバー部材４の上面にはこれら２個の押しボタン４１を片方から囲う山型の庇部（壁部）４２が設けられている。
【００１８】
可動電極部材５は一対の弾性変形可能な可動片５１を有しており、上記押しボタン４１を押し下げると、押しボタン４１の下端４１ａによって下方に押し下げられ、可動片５１が下方に撓むように構成されている。
【００１９】
図３を参照して、押しボタン４１を指Ｆで押す場合には、庇部４２が設けられていない方向から指Ｆを押しボタン４１にあてがうことになるが、その際、押しボタン４１の位置をよく確かめない場合や指Ｆを勢いよく押しボタン４１にあてがった場合には、指Ｆが押しボタン４１の上面を滑って指Ｆが図の左側に不必要に移動する場合が生じる。指Ｆが左側に大きく移動すると、指Ｆはカバー部材４の上面から外れてしまうが、図示のように押しボタン４１の左側には庇部４２が設けられているので、指Ｆはその庇部４２に当接して庇部４２よりも左側に移動することが防止される。
【００２０】
なお、図３では回路基板１１が水平な状態で説明したが、実際には図１に示したように回路基板１１は垂直な状態で機器内に取り付けられる。そして、図１に示したように、回路基板１１が垂直な状態で取り付けられた場合に、庇部４２は両押しボタン４１を上方から覆うように構成した。
【００２１】
図４を参照して、回路基板１１はポッティングされているが、カバー部材４の内部では電極部材５、６が樹脂でコーティングされない状態で存在している。上方からカバー部材４に水が滴下してきた場合、押しボタン４１とカバー部材４との隙間から水がカバー部材４内に浸入することを防止する必要がある。庇部４２は押しボタン４１を上方から覆っているので、滴下してきた水は庇部４２の上面に沿って左右に分かれるので、水が押しボタン４１に到達することが無い。従って、水がカバー部材４の内部に浸入することが防止される。
【００２２】
なお、本発明は上記した形態に限定されるものではなく、本発明の要旨を逸脱しない範囲内において種々の変更を加えてもかまわない。
【符号の説明】
【００２３】
１  電子装置
１１  回路基板
２  漏電検知部
３  スイッチ部材
４  カバー部材
４１  押しボタン
４２  庇部（壁部）
５  可動電極部材
５１  可動片
６  固定電極部材
【図１】
2015005400.tif 000003
【図２】
2015005400.tif 000004
【図３】
2015005400.tif 000005
【図４】
2015005400.tif 000006